(57)【要約】【課題】複数の配線を端子台の端子に再接続する際に誤接続の恐れをなくすと共に、配線の接続を効率的に行い、短時間で再接続の作業を完結させることが可能な配線固定具を提供する。【解決手段】配線固定具１を、複数の配線２の端子３近傍を同時に挟み込む一対の挟持片４，５と、一対の挟持片４，５を間に複数の配線２を挟み込んだ状態で固定する固定手段（ねじ８，９）とにより構成する。挟持片４，５の互いに対峙する側面に緩衝材６．７を設ける。【選択図】  図１
2014143093.tif 000002
【特許請求の範囲】
【請求項１】
端子台の複数の端子に取り付けられた配線を脱着させるために用いられる配線固定具であって、
前記複数の配線の端子近傍を同時に挟み込む一対の挟持片と、
前記一対の挟持片を間に前記複数の配線を挟み込んだ状態で固定する固定手段と、
を具備することを特徴とする配線固定具。
【請求項２】
前記一対の挟持片は、緩衝材を介して前記複数の配線を挟み込むことを特徴とする請求項１記載の配線固定具。
【請求項３】
前記一対の挟持片で挟み込まれた前記複数の配線の端子を覆う端子カバーをさらに備えることを特徴とする請求項１又は２記載の配線固定具。
【請求項４】
前記固定手段は、一対の挟持片を締結するねじ部材、又は、係止フックであることを特徴とする請求項１乃至３のいずれかに記載の配線固定具。
【発明の詳細な説明】
【技術分野】
【０００１】
本発明は、端子台の取り付けられた複数の配線を脱着させる場合に用いられる配線固定具に関する。
【背景技術】
【０００２】
電磁形や静止形保護継電器の単体特性試験を行う場合には、各継電器に対して個別に電流・電圧入力を行う必要がある。継電器の構造は、ケースにより埋込形と引出形があり、内部要素をケースから引き出すことが可能な継電器（引出形継電器）においては、内部要素を引き出して試験を行っているが，埋め込み形継電器を試験するときには，他の継電器への影響を避けるために、ケースの裏面にある端子台に接続されている複数の配線を取り外して試験を行うようにしている。
【０００３】
このため、試験後には配線を元通りに接続しなければならず、この接続を誤ると、継電器の誤動作や焼損の恐れがある。このため、従来においては、取り外す前の配線状態をメモ書きするなどの細心の注意が必要であり、接続後の確認にも手間がかかるものであった。
【０００４】
そこで、従来においては、端子台の上部を被覆する端子台カバーに配線を通す貫通穴を設け、この貫通穴に配線を事前に通しておくようにすることで配線の取り付け時の誤接続を防止すること等が考えられている。
【先行技術文献】
【特許文献】
【０００５】
【特許文献１】実開平５−２０２６７号公報
【発明の概要】
【発明が解決しようとする課題】
【０００６】
しかしながら、このような構成においては、配線が貫通穴に挿通されるだけであるので、取り付け時の状態がそのまま保持されているわけではない。このため、配線の接続端子と端子台の端子との位置関係を誤ることはなくなるものの、配線は取り付け時の状態からずれてしまい、結局、各配線を一本一本対応する端子台の端子に取り付けなければならず、取り付け作業に手間がかかるものであった。
【０００７】
本願発明は、かかる事情に鑑みてなされたものであり、複数の配線を端子台の端子に再接続する際に誤接続の恐れをなくすと共に、配線の接続を効率的に行い、短時間で再接続の作業を完結させることが可能な配線固定具を提供することを主たる課題としている。
【課題を解決するための手段】
【０００８】
上記課題を達成するために、本願発明に係る配線固定具は、端子台の複数の端子に取り付けられた配線を脱着させるために用いられる配線固定具であって、前記複数の配線の端子近傍を同時に挟み込む一対の挟持片と、前記一対の挟持片を間に前記複数の配線を挟み込んだ状態で固定する固定手段と、を具備することを特徴としている。
【０００９】
したがって、端子台の端子から配線を外す場合には、配線が端子台に接続されている状態で一対の挟持片で複数の配線の端子近傍を挟み込み、この状態を固定手段により固定すれば、端子台の端子から各配線を取り外した場合でも、各配線は端子台に取り付けられていた形状がそのまま維持された状態で配線固定具に保持される。このため、配線を端子台に再接続する場合には、配線固定具を持って各配線の端子を端子台の端子にアプローチすれば、取り外す前と同じ形状が維持されているので、各配線をまとめて端子台に接続することが可能となる。
【００１０】
ここで、複数の配線を均一に保持すると共に配線の損傷を防ぐために、前記一対の挟持片は、緩衝材を介して複数の配線を挟み込むようにするとよい。
【００１１】
また、取り外した配線の端子が他の充電部に接触することを防ぐために、また、配線の端子を保護するために、配線固定具は、固定された複数の配線の端子を覆う端子カバーをさらに備えるようにしてもよい。
なお、固定手段としては、一対の挟持片を締結するねじ部材、又は、係止フックなどが考えられる。
【発明の効果】
【００１２】
以上述べたように、本発明の配線固定具によれば、複数の配線の端子近傍を同時に挟み込む一対の挟持片と、この一対の挟持片を間に複数の配線を挟み込んだ状態で固定する固定手段とを具備するので、再接続の際に配線の誤接続の恐れをなくすことが可能となり、また、各配線は取り外す前と同じ形状が維持されているので、複数の配線を端子台の対応する端子に同時に取り付けることが可能となり、配線の接続を効率的に行い、短時間で再接続の作業を完結させることが可能となる。
【図面の簡単な説明】
【００１３】
【図１】図１は、本願発明に係る配線固定具の第１の構成例を示す斜視図であり、（ａ）は端子台の端子取り付けられている配線に配線固定具を取り付けた状態を示す図であり、（ｂ）は、端子台から配線を外した状態を示す図である。
【図２】図２は、複数の配線を挟み込んだ状態の配線固定具を示す図であり、（ａ）は、その側面図であり、（ｂ）は、その正面図であり、（ｃ）は、その平面図である。
【図３】図３は、本発明に係る配線固定具の第２の構成例を示す図であり、（ａ）はその正面図、（ｂ）はその側面図、（ｃ）は配線固定具の取り付け前の状態を示す図である。
【図４】図４は、本発明に係る配線固定具の第３の構成例を示す図であり、（ａ）は取り付け前の状態を示す平面図、（ｂ）は取り付け後の状態を示す平面図、（ｃ）は取り付け後の状態を示す正面図である。
【発明を実施するための最良の形態】
【００１４】
以下、本発明の実施例を図面に基づき説明する。
【００１５】
図１及び２において、本願発明に係る配線固定具１の第１の構成例が示されている。
この配線固定具１は、継電器などの端子台１０の端子１１に取り付けられている複数の配線２の端子３近傍を挟み込むための一対の挟持片４，５と、それぞれの挟持片４，５の互いに対峙する側面に固定された緩衝材６，７と、一対の挟持片４，５を重ねて固定する固定手段とを有して構成されている。
【００１６】
それぞれの挟持片４，５は、透明性の高いアクリル樹脂などの合成樹脂によって矩形板状に形成されているもので、この例では、横に並設された端子台１０の４つの端子１１に接続される４本の配線２を同時に挟み込むことができる長さに形成されている。
【００１７】
緩衝材６，７は、挟持片４，５の側面に接着剤や両面テープ等により固定されているもので、ウレタンフォーム（スポンジ）などによって構成され、この例では、挟持片４，５の大きさと一致させた大きさに加工されている。
【００１８】
固定手段は、この例では、ねじ８，９によって構成され、一方の挟持片４とこれに固定された緩衝材６の両端近傍に通孔４ａ，４ｂ，６ａ，６ｂを形成し、また、他方の挟持片５に固定された緩衝材７の両端近傍に通孔７ａ，７ｂを形成すると共に他方の挟持片５の両端近傍にねじ穴５ａ，５ｂを形成し、一方の挟持片４の外側からこの挟持片４とこれに固定された緩衝材６の通孔４ａ，４ｂ．６ａ，６ｂにねじ８，９を挿入し、このねじ８，９を他方の挟持片５に固定された緩衝材７の通孔７ａ，７ｂを介して他方の挟持片５のねじ穴５ａ，５ｂに羅合させることで、両挟持片４，５を固定するようにしている。
【００１９】
以上の構成において、端子台１０の端子１１に取り付けられている複数の配線を取り外す場合には、取り外す直前において（配線２が端子台１０に接続されている状態において）、一対の挟持片４，５を互いの緩衝材６，７が固定されている面を内側に向け、この一対の挟持片４，５で複数の配線２の端子３近傍を挟み込み、しかる後に、正面からねじ８，９を挟持片４の通孔４ａ，４ｂに挿入し、緩衝材６，７の通孔６ａ，６ｂ，７ａ，７ｂを介して挟持片５のねじ穴５ａ、５ｂまで押し込んで羅合させる。その際、緩衝材６，７は、配線２の形状に合わせて弾性変形し、前後から配線２を挟み込むので、適当な保持力が得られるまで締め付ける（配線２の取り外し前の状態が保持される程度に締め付ける）。
【００２０】
これにより、４本の配線２は、配線固定具１によって一体化し、端子台１０の各端子１１に羅合されているボルト１２を外さない限り、端子台１０から外すことができないことになり、また、配線２を再接続する場合にも、端子台１０の端子１１に配線２の端子３を同時に取り付けなければ端子台１０に取り付けることができないこととなる。
【００２１】
このため、試験のために配線２を端子台１０の端子１１から取り外しても、各配線がばらばらになることがなく、また、再接続の際に配線２の誤接続の恐れをなくすことが可能となる。また、取り外した各配線２は、取り外す前の状態が保持されているので、端子台１０の対応する端子１１に同時に取り付けることが可能となり、配線２の接続作業を効率的に行い、短時間で再接続の作業を完結させることが可能となる。
【００２２】
図３において、本願発明に係る配線固定具の第２の構成例が示されている。
この例において、一対の挟持片４，５は、前記構成例と同様、透明性の高いアクリル樹脂などの合成樹脂によって矩形板状に形成されているもので、互いの一端近傍が予めねじ８によって回転可能に連結されている。一方の挟持片４（手前の挟持片）の他方の端部近傍には、長手方向の一辺から（この例では上側の辺から）スリット４ｃが短手方向に延設され、他方の挟持片５（後側の挟持片）の他方の端部近傍には、前記スリット４ｃに挿入可能なねじ９がその頭部９ａを挟持片５の側面から浮かせた状態で取り付けられている。
【００２３】
また、一対の挟持片４，５の外側には、端子カバー２０が設けられている。この端子カバー２０は、一対の挟持片４，５の外側に配設された一対のカバー片２０ａ，２０ｂを互いの一端近傍で前記ネジ８によって挟持片４，５に対して相対回転可能に取り付けられ、互いの他端近傍を架橋部材２０ｃによって所定の間隔となるように連結されている。なお、他の構成は前記構成と同様である。
【００２４】
したがって、このような配線固定具１を用いて複数の配線２を固定する際には、ねじ９を緩めてその頭部９ａを挟持片５の側面から十分に離しておき、この挟持片５を配線２の端子３近傍で後ろ側から各配線を渡すようにあてがい、その後、手前の挟持片４を下側から各配線２の手前を渡すように（挟持片５に重ね合わせるように）回動させ、スリット４ｃにねじ９の軸部を挿入し、このねじ９を締め付けることにより頭部９ａと挟持片５とで挟持片４を挟み込む。その際、回動中心となるねじ８も適当な保持力が得られるまで締め付ける（配線２の取り外し前の状態が保持される程度に締め付ける）。
【００２５】
そして、その状態で、端子台の端子からボルト１２を外して配線２を取り外し、その後、配線２の端子４が他の充電部に接触することを防ぐために、また、配線２の端子３を保護するために、端子カバー２０をねじ８の締め付け状態を調整しながらこのねじ８を中心として回動させ（この例では反時計回りに回動させ）、端子カバー２０で各配線２の端子４を覆う。なお、配線２の再接続の作業においては、上記作業と逆の作業を行えばよい。
【００２６】
したがって、このような配線固定具１においても、試験のために配線２を端子台の端子から取り外しても、各配線２がばらばらになることがなく、また、再接続の際に配線２の誤接続の恐れをなくすことが可能となる。また、取り外した各配線２は、取り外す前の状態が保持されているので、端子台の対応する端子に同時に取り付けることが可能となり、配線２の接続作業を効率的に行い、短時間で再接続の作業を完結させることが可能となる。さらに、この例では、取り外した配線２の端子３を端子カバー２０によって保護することができるので、配線２の端子３が充電部に誤って接触したり、端子３を損傷させたりすることを防止することが可能となる。
【００２７】
なお、この構成例では、緩衝材を割愛したが、第１の構成例と同様に、それぞれの挟持片４，５の互いに対峙する側面に緩衝材を設けるようにしてもよい。
【００２８】
図４において、本願発明に係る配線固定具１の第３の構成例が示されている。
この例においては、配線固定具１が、継電器などの端子台の端子に取り付けらえている複数の配線２の端子３近傍を挟み込むための一対の挟持片４，５と、それぞれの挟持片４，５の互いに対峙する側面に固定された緩衝材６，７とを有して構成されている点で第１の実施例と同様であるが、固定手段の構成が第１の実施例とは異なっている。
【００２９】
この例における固定手段は、一対の挟持片４，５の互いの一端部を蝶番３０により回動可能に連結し、互いの他端部を係止フック３１により所定の挟持力で固定するようにしている。具体的には、一方の挟持片４の他端部にコ字状の係止フック３１の一端を回転可能に取り付け、他方の挟持片５の他端部に係止フック３１が係止可能な段差部３２を設け、一方の挟持片４の他端部と他方の挟持片５の他端部とが緩衝材６，７を介して重なり合った状態で、係止フック３１を回動させて段差部３２に係止させることで、互いの挟持片４，５を挟持固定するようにしている。
【００３０】
このような構成例においても、第１の構成例と同様の作用効果が得られると共に、ねじの羅合量を調整する必要がないので、配線固定具１の配線２への取り付けを簡易かつ短時間で行うことが可能となる。
【００３１】
なお、以上の構成においては、４本の配線２を固定する場合について説明したが、それより多い本数の配線を固定する場合にも同様の構成を採用できることは言うまでもない。
【符号の説明】
【００３２】
１  配線固定具
２  配線
３  端子
４，５  挟持片
６，７  緩衝材
８，９  ねじ
１０  端子台
１１  端子
２０  端子カバー
３０  蝶番
３１  係止フック
【図１】
2014143093.tif 000003
【図２】
2014143093.tif 000004
【図３】
2014143093.tif 000005
【図４】
2014143093.tif 000006